(57)【要約】【課題】抵抗分電流波形を煩雑な調整の要なく適切に検出する。【解決手段】抵抗分電流と容量分電流とを含む電流を流通する非線形素子を有する酸化亜鉛形避雷器１に並列に接続されたコンデンサ２に流れる電流を検出し、前記非線形素子の抵抗分電流を測定するものにおいて、コンデンサ２に流れる電流波形の最大値における前記非線形素子に流れる電流値とコンデンサ２に流れる電流値との比率をコンデンサ２に流れる電流波形に乗じた演算処理波形を導出する演算装置１０を備え、演算装置１０は、前記演算処理波形を前記非線形素子を流通する電流波形から差し引くことにより前記非線形素子の抵抗分電流を得る。【選択図】　　　　図１
2004020290.tif 000002
【特許請求の範囲】
【請求項１】
抵抗分電流と容量分電流とを含む電流を流通する非線形素子と並列に接続されたコンデンサに流れる電流を検出し、前記非線形素子の抵抗分電流を測定する非線形素子の抵抗分電流測定装置において、前記コンデンサに流れる電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得ることを特徴とする非線形素子の抵抗分電流測定装置。
【請求項２】
前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる電流波形の最大値を導出し、この電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得ることを特徴とする請求項１に記載の非線形素子の抵抗分電流測定装置。
【請求項３】
高調波を重畳する電圧が印加され抵抗分電流と容量分電流とを含む電流を流通する非線形素子に並列に接続されたコンデンサに流れる電流を検出し、前記非線形素子の抵抗分電流を測定する非線形素子の抵抗分電流測定装置において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得ることを特徴とする非線形素子の抵抗分電流測定装置。
【請求項４】
前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる基本波成分電流波形の最大値を導出し、この基本波成分電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得ることを特徴とする請求項３に記載の非線形素子の抵抗分電流測定装置。
【請求項５】
抵抗分電流と容量分電流とを含む電流を流通する非線形素子と並列に接続されたコンデンサに流れる電流を検出し、前記非線形素子の抵抗分電流を測定する非線形素子の抵抗分電流測定方法において、前記コンデンサに流れる電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むことを特徴とする非線形素子の抵抗分電流測定方法。
【請求項６】
前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる電流波形の最大値を導出し、この電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより前記非線形素子の抵抗分電流波形を得る第２の演算ステップとを含むことを特徴とする請求項５に記載の非線形素子の抵抗分電流測定方法。
【請求項７】
高調波を重畳する電圧が印加され抵抗分電流と容量分電流とを含む電流を流通する非線形素子と並列に接続されたコンデンサに流れる電流を検出し、前記非線形素子の抵抗分電流を測定する非線形素子の抵抗分電流測定方法において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むことを特徴とする非線形素子の抵抗分電流測定方法。
【請求項８】
前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる基本波成分電流波形の最大値を導出し、この基本波成分電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより前記非線形素子の抵抗分電流波形を得る第２の演算ステップとを含むことを特徴とする請求項７に記載の非線形素子の抵抗分電流測定方法。
【発明の詳細な説明】
【０００１】
【発明の属する技術分野】
この発明は、酸化亜鉛形避雷器に用いられる酸化亜鉛素子等の非線形素子の抵抗分電流測定装置および抵抗分電流測定方法、特に、電力系統に発生する異常電圧を所定の電圧以下に抑制し、系統に設置された電力機器の絶縁破壊を防止する役割を果たす酸化亜鉛形避雷器の構成要素の一つである酸化亜鉛素子の劣化検出に関するものである。
【０００２】
【従来の技術】
酸化亜鉛素子を有する酸化亜鉛形避雷器の電気的等価回路は、図９のように抵抗要素１Ｒと容量要素１Ｃとの並列回路として示される。
酸化亜鉛形避雷器の抵抗分漏れ電流と容量分漏れ電流から構成される全漏れ電流から抵抗分漏れ電流を検出する際、図１０のように示される回路において酸化亜鉛形避雷器１の全漏れ電流と酸化亜鉛形避雷器１に並列に接続されたコンデンサ２に流れる電流を測定し、図１１に示す全漏れ電流波形Ｔ１から最大値を検出し、酸化亜鉛形避雷器１と並列に接続されたコンデンサ２に流れる電流波形の最大値を全漏れ電流波形Ｔ１の最大値と同値とした波形Ｃ１を酸化亜鉛形避雷器１における酸化亜鉛素子の容量分波形とみなし、全漏れ電流波形Ｔ１から差し引くことで、抵抗分漏れ電流波形Ｒ１を得ていた。
【０００３】
また、特開平１−２７２０７５号公報で示されているような従来技術では、酸化亜鉛形避雷器に流れる全漏れ電流波形の信号だけを用い、全漏れ電流波形に含まれる高調波に着目し、全漏れ電流から容量分漏れ電流を差し引き抵抗分漏れ電流波形を得ていた。
【０００４】
【発明が解決しようとする課題】
酸化亜鉛形避雷器に並列に接続されたコンデンサに流れる電流波形と、避雷器酸化亜鉛形避雷器に流れる全漏れ電流波形とを使用するものでは、図１２に示すように酸化亜鉛形避雷器の抵抗分漏れ電流が増加した場合、コンデンサに流れる電流波形の零点付近が全漏れ電流Ｔ２の最大値となり、全漏れ電流波形Ｔ２の最大値からコンデンサに流れる電流波形の振幅を決定すると、全漏れ電流波形Ｔ２に対する容量分キャンセル用電流波形Ｃ２は、図１２に示すように、その振幅が大きくなり過ぎるものとなる。
全漏れ電流波形Ｔ２からキャンセル用電流波形Ｃ２を差し引き得られる抵抗分漏れ電流波形Ｒ２は、キャンセル用電流波形Ｃ２が適切な波形を有していないため、酸化亜鉛形避雷器の抵抗分漏れ電流特有の波形とはならないので、本来の抵抗分漏れ電流波形を得るために手動にてコンデンサに流れる電流波形の振幅を調整しなければならなかった。
【０００５】
また、全漏れ電流波形の信号のみを使用するものでは、電源に高調波が重畳した場合、全漏れ電流中の高調波成分が抵抗分漏れ電流に起因するものであるか容量分漏れ電流に起因するものであるかの判別が困難となる。
【０００６】
この発明は、上記のような問題点を解決するためになされたものであり、抵抗分電流波形を煩雑な調整の要なく適切に得ることができる非線形素子の抵抗分電流測定装置および抵抗分電流測定方法を提供しようとするものである。
【０００７】
【課題を解決するための手段】
第１の発明に係る非線形素子の抵抗分電流測定装置では、抵抗分電流と容量分電流とを含む電流を流通する非線形素子と並列に接続されたコンデンサに流れる電流を検出し、前記非線形素子の抵抗分電流を測定する非線形素子の抵抗分電流測定装置において、前記コンデンサに流れる電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得るものである。
【０００８】
第２の発明に係る非線形素子の抵抗分電流測定装置では、第１の発明において、前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる電流波形の最大値を導出し、この電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得るものである。
【０００９】
第３の発明に係る非線形素子の抵抗分電流測定装置では、高調波を重畳する電圧が印加され抵抗分電流と容量分電流とを含む電流を流通する非線形素子と並列に接続されたコンデンサに流れる電流を検出し、前記非線形素子の抵抗分電流を測定する非線形素子の抵抗分電流測定装置において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得るものである。
【００１０】
第４の発明に係る非線形素子の抵抗分電流測定装置では、第３の発明において、前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる基本波成分電流波形の最大値を導出し、この基本波成分電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得るものである。
【００１１】
第５の発明に係る非線形素子の抵抗分電流測定方法では、抵抗分電流と容量分電流とを含む電流を流通する非線形素子に並列に接続されたコンデンサに流れる電流を検出し、前記非線形素子の抵抗分電流を測定する非線形素子の抵抗分電流測定方法において、前記コンデンサに流れる電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むものである。
【００１２】
第６の発明に係る非線形素子の抵抗分電流測定方法では、第５の発明において、前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる電流波形の最大値を導出し、この電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより前記非線形素子の抵抗分電流波形を得る第２の演算ステップとを含むものである。
【００１３】
第７の発明に係る非線形素子の抵抗分電流測定方法では、高調波を重畳する電圧が印加され抵抗分電流と容量分電流とを含む電流を流通する非線形素子と並列に接続されたコンデンサに流れる電流を検出し、前記非線形素子の抵抗分電流を測定する非線形素子の抵抗分電流測定方法において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むものである。
【００１４】
第８の発明に係る非線形素子の抵抗分電流測定方法では、第７の発明において、前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる基本波成分電流波形の最大値を導出し、この基本波成分電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより、前記非線形素子の抵抗分電流波形を得る第２の演算ステップとを含むものである。
【００１５】
【発明の実施の形態】
実施の形態１．
この発明による実施の形態１を図１ないし図４について説明する。図１は実施の形態１における構成を示すブロック図である。図２は実施の形態１における動作を示すフローチャートである。図３および図４は実施の形態１における電流波形を示す曲線図である。
【００１６】
図１において、１は酸化亜鉛素子からなる非線形素子を有する酸化亜鉛形避雷器、２は酸化亜鉛形避雷器１に並列接続されたコンデンサ、３は交流電源、４は酸化亜鉛形避雷器１に直列接続された変流器、５はコンデンサ２に直列接続された変流器、６は酸化亜鉛形避雷器１に流れる電流Ｉｔを変流器４を介して検出する検出装置、７はコンデンサ２に流れる電流Ｉｃｃを検出する検出装置、８は検出装置６によって検出された電流Ｉｔを保存する記憶装置、９は検出装置７によって検出された電流Ｉｃｃを保存する記憶装置、１０は演算装置である。
【００１７】
酸化亜鉛素子からなる非線形素子を有する酸化亜鉛形避雷器１の電気的等価回路は抵抗要素と容量要素との並列回路で示されるものであり、この酸化亜鉛形避雷器１には、交流電源３による電圧が印加される。
酸化亜鉛形避雷器１に流れる電流Ｉｔは、変流器４を介して検出装置６により検出され、検出された電流Ｉｔは、その数周期分が記憶装置８にデジタルデータとして保存される。
コンデンサ２に流れる電流Ｉｃｃは、変流器５を介して検出装置７により検出され、検出された電流Ｉｃｃは、その数周期分が記憶装置８にデジタルデータとして保存される。
演算装置１０は、記憶装置８に記憶された電流Ｉｔおよび記憶装置９に記憶された電流Ｉｃｃについて演算処理を行い抵抗分漏れ電流Ｉｒを導出する。
なお、酸化亜鉛形避雷器１に並列接続されたコンデンサ２は、酸化亜鉛形避雷器１の電圧分布を改善する分圧素子として用いられるものである。
【００１８】
この実施の形態１における動作を、図２に示すフローチャートに基づいて説明する。
【００１９】
ステップＳ１において、酸化亜鉛素子からなる非線形素子を有する酸化亜鉛形避雷器１における全漏れ電流Ｉｔが変流器４を介して検出装置６により検出される。
【００２０】
ステップＳ２において、酸化亜鉛形避雷器１と並列接続されたコンデンサ２における電流Ｉｃｃが変流器５を介して検出装置７により検出される。
【００２１】
ステップＳ３において、検出装置６により検出された酸化亜鉛形避雷器１における全漏れ電流Ｉｔの数周期分がデジタルデータとして記憶装置８に保存される。
このデジタルデータによる全漏れ電流Ｉｔの波形を示すと、図３における電流波形Ｔのようになる。
図３における電流波形Ｔに示されるデジタルデータとして記憶装置８に保存された酸化亜鉛形避雷器１の全漏れ電流Ｉｔは、演算装置１０に導入される。
【００２２】
ステップＳ４において、検出装置７により検出されたコンデンサ２における電流Ｉｃｃの数周期分がデジタルデータとして保存される。
このデジタルデータによる電流Ｉｃｃの波形を示すと、図３における電流波形Ｃのようになる。
図３における電流波形Ｃに示されるデジタルデータとして記憶装置９に保存されたコンデンサ２の電流Ｉｃｃもまた、演算装置１０に導入される。
【００２３】
ステップＳ５において、演算装置１０による演算処理により、図３における電流波形Ｃに示される記憶装置９から導入されたコンデンサ２の電流Ｉｃｃの最大値αと、この電流Ｉｃｃが最大値αとなる時刻βとを検出する。
【００２４】
ステップＳ６において、演算装置１０による演算処理により、図３における電流波形Ｔに示される記憶装置８から導入された酸化亜鉛形避雷器１の全漏れ電流Ｉｔの時刻βにおける値γを検出する。
【００２５】
ステップＳ７において、演算装置１０による演算処理により、式（α／γ）×Ｉｃｃの解を導出し、図４に示される電流波形Ａを得る。
【００２６】
ステップＳ８において、演算装置１０による演算処理により、式Ｉｔ−｛（α／γ）×Ｉｃｃ｝の解を導出する。
【００２７】
ステップＳ９において、ステップＳ８による式Ｉｔ−｛（α／γ）×Ｉｃｃ｝の解によって、図４における電流波形Ｔから電流波形Ａを差し引いた電流波形Ｒとして示される抵抗分漏れ電流Ｉｒを導出するに至る。
【００２８】
この発明による実施の形態１に係わる酸化亜鉛形避雷器抵抗分漏れ電流測定装置は、酸化亜鉛形避雷器に商用周波数の電圧が印加された時の全漏れ電流波形と酸化亜鉛形避雷器に並列に接続されたコンデンサに流れる電流波形のデータを一定時間保存し、そのデータから演算を行ない抵抗分漏れ電流波形を得るものである。
【００２９】
図３に示した酸化亜鉛形避雷器１に流れる全漏れ電流波形Ｔと電気的に並列に接続されたコンデンサ２に流れる電流波形Ｃを例えば数周期保存し、コンデンサ２に流れる電流波形Ｃの最大値αとその時刻βを検出する。時刻βの酸化亜鉛形避雷器１に流れる電流値γとコンデンサ２に流れる電流値αの比率α／γを求め、図４に示すように、比率α／γをコンデンサ２に流れる電流波形Ｃに乗じた波形Ａを形成する。コンデンサ２に流れる電流波形Ｃにα／γを乗じた波形Ａを酸化亜鉛形避雷器１の全漏れ電流波形Ｔから差し引くことで、酸化亜鉛形避雷器１の抵抗分漏れ電流波形Ｒを得るものである。
【００３０】
この発明による実施の形態１によれば、抵抗分電流と容量分電流とを含む電流を流通する非線形素子を有する酸化亜鉛形避雷器１に並列に接続されたコンデンサ２に流れる電流を検出し、前記非線形素子の抵抗分電流を測定する非線形素子の抵抗分電流測定装置において、前記非線形素子を有する酸化亜鉛形避雷器１に流れる電流を変流器４を介して検出するＩｔ検出装置６からなる第１の検出手段と、前記コンデンサ２に流れる電流を変流器５を介して検出するＩｃｃ検出装置７からなる第２の検出手段と、前記Ｉｔ検出装置６からなる第１の検出手段により検出された前記非線形素子を有する酸化亜鉛形避雷器１に流れる電流をデジタルデータとして保存するＩｔ記憶装置８からなる第１の記憶手段と、前記第２の検出手段により検出された前記コンデンサに流れる電流をデジタルデータとして保存するＩｃｃ記憶装置９からなる第２の記憶手段と、前記Ｉｃｃ記憶装置９からなる第２の記憶手段に保存されたデジタルデータから前記コンデンサ２に流れる電流波形Ｃの最大値αを導出し、この電流波形の最大値αにおける前記Ｉｔ記憶装置８からなる第１の記憶手段に保存された前記非線形素子を有する酸化亜鉛形避雷器１に流れる電流値γと前記Ｉｃｃ記憶装置９からなる第２の記憶手段に保存された前記コンデンサ２に流れる電流値αとの比率α／γを前記Ｉｃｃ記憶装置９からなる第２の記憶手段に保存された前記コンデンサ２に流れる電流波形Ｃに乗じた演算処理波形Ａを導出する演算装置１０からなる演算手段とを備え、前記演算装置１０からなる演算手段は、前記演算処理波形Ａを抵抗分電流と容量分電流とを含む前記非線形素子を有する酸化亜鉛形避雷器１を流通する電流波形Ｔから差し引くことにより前記非線形素子を有する酸化亜鉛形避雷器１の抵抗分電流波形Ｒを得るようにしたので、非線形素子を有する酸化亜鉛形避雷器１と並列接続されたコンデンサに流れる電流によるデジタルデータを演算処理することにより、抵抗分電流波形を煩雑な調整の要なく適切に得ることができる非線形素子の抵抗分電流測定装置を提供することができる。
【００３１】
また、この発明による実施の形態１によれば、抵抗分電流と容量分電流とを含む電流を流通する非線形素子を有する酸化亜鉛形避雷器１に並列に接続されたコンデンサ２に流れる電流を検出し、前記非線形素子を有する酸化亜鉛形避雷器１の抵抗分電流を測定する非線形素子の抵抗分電流測定方法において、前記非線形素子を有する酸化亜鉛形避雷器１に流れる電流を変流器４を介して検出するＩｔ検出装置６による第１の検出ステップと、前記コンデンサ２に流れる電流を変流器５を介して検出するＩｃｃ検出装置７による第２の検出ステップと、前記Ｉｔ検出装置６による第１の検出ステップにより検出された前記非線形素子を有する酸化亜鉛形避雷器１に流れる電流をデジタルデータとして保存するＩｔ記憶装置８による第１の記憶ステップと、前記Ｉｃｃ検出装置７による第２の検出ステップにより検出された前記コンデンサ２に流れる電流をデジタルデータとして保存するＩｃｃ記憶装置９による第２の記憶ステップと、前記Ｉｃｃ記憶装置９による第２の記憶ステップにより保存されたデジタルデータから前記コンデンサ２に流れる電流波形Ｃの最大値αを導出し、この電流波形Ｃの最大値αにおける前記Ｉｔ記憶装置８による第１の記憶ステップにより保存された前記非線形素子を有する酸化亜鉛形避雷器１に流れる電流値γと前記Ｉｃｃ記憶装置９による第２の記憶ステップにより保存された前記コンデンサ２に流れる電流値αとの比率α／γを前記Ｉｃｃ記憶装置９による第２の記憶ステップにより保存された前記コンデンサ２に流れる電流波形Ｃに乗じた演算処理波形Ａを導出する演算装置１０による第１の演算ステップと、前記第１の演算ステップにより導出された前記演算処理波形Ａを抵抗分電流と容量分電流とを含む前記非線形素子を有する酸化亜鉛形避雷器１を流通する電流波形Ｔから差し引くことにより前記非線形素子を有する酸化亜鉛形避雷器１の抵抗分電流波形Ｒを得る演算装置１０による第２の演算ステップとを含むので、非線形素子を有する酸化亜鉛形避雷器１と並列接続されたコンデンサに流れる電流によるデジタルデータを演算処理することにより、抵抗分電流波形を煩雑な調整の要なく適切に得ることができる非線形素子の抵抗分電流測定方法を提供することができる。
【００３２】
実施の形態２．
この発明による実施の形態２を図５ないし図８について説明する。図５は実施の形態２における構成を示すブロック図である。図６は実施の形態２における動作を示すフローチャートである。図７および図８は実施の形態２における電流波形を示す曲線図である。
この実施の形態２において、ここで説明する特有の構成および方法以外の構成内容および方法内容については、先に説明した実施の形態１におけるものと同様の内容を具備し、同様の作用を奏する。
【００３３】
図５において、１は酸化亜鉛素子からなる非線形素子を有する酸化亜鉛形避雷器、２は酸化亜鉛形避雷器１に並列接続されたコンデンサ、３は交流電源、４は酸化亜鉛形避雷器１に直列接続された変流器、５はコンデンサ２に直列接続された変流器、６は酸化亜鉛形避雷器１に流れる電流Ｉｔを変流器４を介して検出する検出装置、７はコンデンサ２に流れる電流Ｉｃｃを検出する検出装置、８は検出装置６によって検出された電流Ｉｔを保存する記憶装置、９は検出装置７によって検出された電流Ｉｃｃを保存する記憶装置、１０は演算装置、１１はコンデンサ２に流れる高調波成分を含む電流Ｉｃｃの基本波成分Ｉｃｃ１を抽出する基本波抽出装置である。
【００３４】
酸化亜鉛素子からなる非線形素子を有する酸化亜鉛形避雷器１の電気的等価回路は抵抗要素と容量要素との並列回路で示されるものであり、この酸化亜鉛形避雷器１に交流電源３による電圧が印加される。この電圧には高調波が重畳されているものである。
酸化亜鉛形避雷器１に流れる電流Ｉｔは、変流器４を介して検出装置６により検出され、検出された電流Ｉｔは、その数周期分が記憶装置８にデジタルデータとして保存される。
コンデンサ２に流れる電流Ｉｃｃは、変流器５を介して検出装置７により検出され、検出された電流Ｉｃｃは、その数周期分が記憶装置８にデジタルデータとして保存される。
記憶装置９に記憶された高調波成分を含む電流Ｉｃｃは、基本波抽出装置１１により、その基本波成分Ｉｃｃ１が抽出される。
演算装置１０は、記憶装置８に記憶された電流Ｉｔおよび基本波抽出装置１１により抽出された電流Ｉｃｃの基本波成分Ｉｃｃ１について演算処理を行い抵抗分漏れ電流Ｉｒを導出する。
なお、酸化亜鉛形避雷器１に並列接続されたコンデンサ２は、酸化亜鉛形避雷器１の電圧分布を改善する分圧素子として用いられるものである。
【００３５】
この実施の形態２は、酸化亜鉛形避雷器の印加電圧に高調波が重畳している場合の酸化亜鉛形避雷器の全漏れ電流Ｉｔと酸化亜鉛形避雷器に並列に接続されたコンデンサに流れる電流Ｉｃｃの検出から抵抗分漏れ電流Ｉｒを検出する装置および方法に係るものである。
【００３６】
この実施の形態２における動作を、図５に示すフローチャートに基づき説明する。
【００３７】
ステップＳ１において、酸化亜鉛素子からなる非線形素子を有する酸化亜鉛形避雷器１における全漏れ電流Ｉｔが変流器４を介して検出装置６により検出される。
【００３８】
ステップＳ２において、酸化亜鉛形避雷器１と並列接続されたコンデンサ２における電流Ｉｃｃが変流器５を介して検出装置７により検出される。
【００３９】
ステップＳ３において、検出装置６により検出された酸化亜鉛形避雷器１における全漏れ電流Ｉｔの数周期分がデジタルデータとして記憶装置８に保存される。
このデジタルデータによる全漏れ電流Ｉｔの波形を示すと、図７における電流波形Ｔのようになる。
図７における電流波形Ｔに示されるデジタルデータとして記憶装置８に保存された酸化亜鉛形避雷器１の全漏れ電流Ｉｔは、演算装置１０に導入される。
【００４０】
ステップＳ４において、検出装置７により検出されたコンデンサ２における電流Ｉｃｃの数周期分がデジタルデータとして保存される。
【００４１】
ステップＳ４１において、基本波抽出装置１１による抽出処理により、図３における電流波形Ｃに示される記憶装置９から導入されたコンデンサ２の電流Ｉｃｃの基本波成分Ｉｃｃ１を周波数変換によって導出する。
この電流Ｉｃｃにおける基本波成分Ｉｃｃ１の波形を示すと、図７における電流波形ＣＡのようになる。
図７において電流波形ＣＡで示される電流Ｉｃｃにおける基本波成分Ｉｃｃ１は演算装置１０に導入される。
【００４２】
ステップＳ５において、演算装置１０による演算処理により、電流Ｉｃｃの基本波成分Ｉｃｃ１の最大値αと、この電流Ｉｃｃが最大値αとなる時刻βとを検出する。
【００４３】
ステップＳ５１において、演算装置１０による演算処理により、時刻βにおける電流Ｉｃｃの値α’を検出する。
【００４４】
ステップＳ６において、演算装置１０による演算処理により、図７における電流波形Ｔに示される記憶装置８から導入された酸化亜鉛形避雷器１の全漏れ電流Ｉｔの時刻βにおける値γを検出する。
【００４５】
ステップＳ７１において、演算装置１０による演算処理により、式（α’／γ）×Ｉｃｃの解を導出し、図８に示される電流波形Ａ１を得る。
【００４６】
ステップＳ８１において、演算装置１０による演算処理により、式Ｉｔ−｛（α’／γ）×Ｉｃｃ｝の解を導出する。
【００４７】
ステップＳ９において、ステップＳ８１による式Ｉｔ−｛（α’／γ）×Ｉｃｃ｝の解によって、図８における電流波形Ｔから電流波形Ａ１を差し引いた電流波形Ｒとして示される抵抗分漏れ電流Ｉｒを導出するに至る。
【００４８】
この実施の形態２では、酸化亜鉛形避雷器１に印加される電圧に高調波が重畳した場合、酸化亜鉛形避雷器１に流れる電流波形と電気的に並列に接続されたコンデンサ２に流れる電流波形を数周期保存し、コンデンサ２に流れる電流波形を周波数変換し、基本波の振幅と位相を検出し、コンデンサ２に流れる電流波形の基本波成分の波形を合成する。コンデンサ２に流れる電流波形の基本波成分が最大となる時刻βを検出する。
次に、その時刻βの時に高調波が含まれるコンデンサ２に流れる電流波形の値α’を検出する。時刻βの酸化亜鉛形避雷器１に流れる電流値γと高調波が含まれたコンデンサ２に流れる電流値の比率α’／γを求め、その比率α’／γをコンデンサ２に流れる電流波形に乗じた波形を形成する。
コンデンサ２に流れる電流波形にα’／γを乗じた波形を酸化亜鉛形避雷器１の全漏れ電流から差し引くことで酸化亜鉛形避雷器１の抵抗分漏れ電流波形を得るものである。
【００４９】
この発明による実施の形態２によれば、高調波を重畳する電圧が印加され抵抗分電流と容量分電流とを含む電流を流通する非線形素子を有する酸化亜鉛形避雷器１に並列に接続されたコンデンサ２に流れる電流を検出し、前記非線形素子の抵抗分電流を測定する非線形素子の抵抗分電流測定装置において、前記非線形素子を有する酸化亜鉛形避雷器１に流れる電流を変流器４を介して検出するＩｔ検出装置６からなる第１の検出手段と、前記コンデンサ２に流れる電流を変流器５を介して検出するＩｃｃ検出装置８からなる第２の検出手段と、前記Ｉｔ検出装置６からなる第１の検出手段により検出された前記非線形素子を有する酸化亜鉛形避雷器１に流れる電流をデジタルデータとして保存するＩｔ記憶装置８からなる第１の記憶手段と、前記Ｉｃｃ検出装置８からなる第２の検出手段により検出された前記コンデンサ２に流れる電流をデジタルデータとして保存するＩｃｃ記憶装置９からなる第２の記憶手段と、前記Ｉｃｃ記憶装置９からなる第２の記憶手段に保存されたデジタルデータから前記コンデンサ２に流れる基本波成分Ｉｃｃ１に係る電流波形ＣＡの最大値αを導出し、この基本波成分Ｉｃｃ１に係る電流波形ＣＡの最大値αにおける前記Ｉｔ記憶装置８からなる第１の記憶手段に保存された前記非線形素子に流れる電流値γと前記Ｉｃｃ記憶装置９からなる第２の記憶手段に保存された前記コンデンサ２に流れる電流値α’との比率α’／γを前記Ｉｃｃ記憶装置９からなる第２の記憶手段に保存された前記コンデンサ２に流れる電流波形に乗じた演算処理波形Ａ１を導出する演算装置１０からなる演算手段とを備え、前記演算装置１０からなる演算手段は、前記演算処理波形Ａ１を抵抗分電流と容量分電流とを含む前記非線形素子を有する酸化亜鉛形避雷器１を流通する電流波形Ｔから差し引くことにより前記非線形素子を有する酸化亜鉛形避雷器１の抵抗分電流波形Ｒを得るようにしたので、非線形素子と並列接続されたコンデンサに流れる電流によるデジタルデータを演算処理することにより、高調波が重畳する場合にも抵抗分電流波形を煩雑な調整の要なく適切に得ることができる非線形素子の抵抗分電流測定装置を提供することができる。
【００５０】
また、この発明による実施の形態２によれば、高調波を重畳する電圧が印加され抵抗分電流と容量分電流とを含む電流を流通する非線形素子を有する酸化亜鉛形避雷器１に並列に接続されたコンデンサ２に流れる電流を検出し、前記非線形素子の抵抗分電流を測定する非線形素子の抵抗分電流測定方法において、抵抗分電流と容量分電流とを含む電流を流通する非線形素子を有する酸化亜鉛形避雷器１に並列に接続されたコンデンサ２に流れる高調波成分を含む電流を検出し、前記非線形素子を有する酸化亜鉛形避雷器１の抵抗分電流を測定する非線形素子の抵抗分電流測定方法において、前記非線形素子を有する酸化亜鉛形避雷器１に流れる電流を変流器４を介して検出するＩｔ検出装置６による第１の検出ステップと、前記コンデンサ２に流れる電流を変流器５を介して検出するＩｃｃ検出装置７による第２の検出ステップと、前記Ｉｔ検出装置６による第１の検出ステップにより検出された前記非線形素子を有する酸化亜鉛形避雷器１に流れる電流をデジタルデータとして保存するＩｔ記憶検出装置８による第１の記憶ステップと、前記Ｉｃｃ検出装置７による第２の検出ステップにより検出された前記コンデンサ２に流れる電流をデジタルデータとして保存するＩｃｃ記憶検出装置９による第２の記憶ステップと、前記Ｉｃｃ記憶検出装置９による第２の記憶ステップにより保存されたデジタルデータから前記コンデンサ２に流れる基本波成分Ｉｃｃ１に係る電流波形ＣＡの最大値αを導出し、この基本波成分Ｉｃｃ１に係る電流波形ＣＡの最大値αにおける前記Ｉｔ記憶検出装置８による第１の記憶ステップにより保存された前記非線形素子を有する酸化亜鉛形避雷器１に流れる電流値γと前記第２の記憶ステップに保存された前記コンデンサに流れる電流値α’との比率α’／γを前記Ｉｃｃ記憶検出装置９による第２の記憶ステップに保存された前記コンデンサ２に流れる電流波形に乗じた演算処理波形Ａ１を導出する演算装置１０による第１の演算ステップと、前記演算装置１０による第１の演算ステップにより導出された前記演算処理波形Ａ１を抵抗分電流と容量分電流とを含む前記非線形素子を有する酸化亜鉛形避雷器１を流通する電流波形Ｔから差し引くことにより前記非線形素子を有する酸化亜鉛形避雷器１の抵抗分電流波形Ｒを得る演算装置１０による第２の演算ステップとを含むので、非線形素子と並列接続されたコンデンサに流れる電流によるデジタルデータを演算処理することにより、高調波が重畳する場合にも抵抗分電流波形を煩雑な調整の要なく適切に得ることができる非線形素子の抵抗分電流測定方法を提供することができる。
【００５１】
【発明の効果】
第１の発明によれば、抵抗分電流と容量分電流とを含む電流を流通する非線形素子と並列に接続されたコンデンサに流れる電流を検出し、前記非線形素子の抵抗分電流を測定する非線形素子の抵抗分電流測定装置において、前記コンデンサに流れる電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得るようにしたので、非線形素子と並列接続されたコンデンサに流れる電流を検出して演算処理することにより、抵抗分電流波形を煩雑な調整の要なく適切に得ることができる非線形素子の抵抗分電流測定装置を提供することができる。
【００５２】
第２の発明によれば、第１の発明において、前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる電流波形の最大値を導出し、この電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得るようにしたので、非線形素子と並列接続されたコンデンサに流れる電流によるデジタルデータを演算処理することにより、抵抗分電流波形を煩雑な調整の要なく適切に得ることができる非線形素子の抵抗分電流測定装置を提供することができる。
【００５３】
第３の発明によれば、高調波を重畳する電圧が印加され抵抗分電流と容量分電流とを含む電流を流通する非線形素子と並列に接続されたコンデンサに流れる電流を検出し、前記非線形素子の抵抗分電流を測定する非線形素子の抵抗分電流測定装置において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する演算手段を備え、前記演算手段は、前記演算処理波形を抵抗分電流と容量分電流とを含む前記非線形素子を流通する電流波形から差し引くことにより前記非線形素子の抵抗分電流波形を得るようにしたので、非線形素子と並列接続されたコンデンサに流れる電流を検出して演算処理することにより、高調波が重畳する場合にも抵抗分電流波形を煩雑な調整の要なく適切に得ることができる非線形素子の抵抗分電流測定装置を提供することができる。
【００５４】
第４の発明によれば、第３の発明において、前記非線形素子に流れる電流を変流器を介して検出する第１の検出手段と、前記コンデンサに流れる電流を変流器を介して検出する第２の検出手段と、前記第１の検出手段により検出された前記非線形素子に流れる電流をデジタルデータとして保存する第１の記憶手段と、前記第２の検出手段により検出された前記コンデンサに流れる電流をデジタルデータとして保存する第２の記憶手段と、前記第２の記憶手段に保存されたデジタルデータから前記コンデンサに流れる基本波成分電流波形の最大値を導出し、この基本波成分電流波形の最大値における前記第１の記憶手段に保存された前記非線形素子に流れる電流値と前記第２の記憶手段に保存された前記コンデンサに流れる電流値との比率を前記第２の記憶手段に保存された前記コンデンサに流れる電流波形に乗じた演算処理波形を導出する演算手段とを備え、前記演算手段は、前記演算処理波形を抵抗分電流と容量分電流とを含む前記非線形素子を流通する電流波形から差し引くことにより前記非線形素子の抵抗分電流波形を得るようにしたので、非線形素子と並列接続されたコンデンサに流れる電流によるデジタルデータを演算処理することにより、高調波が重畳する場合にも抵抗分電流波形を煩雑な調整の要なく適切に得ることができる非線形素子の抵抗分電流測定装置を提供することができる。
【００５５】
第５の発明によれば、抵抗分電流と容量分電流とを含む電流を流通する非線形素子と並列に接続されたコンデンサに流れる電流を検出し、前記非線形素子の抵抗分電流を測定する非線形素子の抵抗分電流測定方法において、前記コンデンサに流れる電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むので、非線形素子と並列接続されたコンデンサに流れる電流を検出して演算処理することにより、抵抗分電流波形を煩雑な調整の要なく適切に得ることができる非線形素子の抵抗分電流測定方法を提供することができる。
【００５６】
第６の発明によれば、第５の発明において、前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる電流波形の最大値を導出し、この電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより前記非線形素子の抵抗分電流波形を得る第２の演算ステップとを含むので、非線形素子と並列接続されたコンデンサに流れる電流によるデジタルデータを演算処理することにより、抵抗分電流波形を煩雑な調整の要なく適切に得ることができる非線形素子の抵抗分電流測定方法を提供することができる。
【００５７】
第７の発明によれば、高調波を重畳する電圧が印加され抵抗分電流と容量分電流とを含む電流を流通する非線形素子と並列に接続されたコンデンサに流れる電流を検出し、前記非線形素子の抵抗分電流を測定する非線形素子の抵抗分電流測定方法において、前記コンデンサに流れる基本波成分電流波形の最大値における前記非線形素子に流れる電流値と前記コンデンサに流れる電流値との比率を前記コンデンサに流れる電流波形に乗じた演算処理波形を導出する第１の演算ステップと、前記演算処理波形を抵抗分電流と容量分電流とを含む前記非線形素子を流通する電流波形から差し引くことにより前記非線形素子の抵抗分電流波形を得る第２の演算ステップとを含むので、非線形素子と並列接続されたコンデンサに流れる電流を検出して演算処理することにより、高調波が重畳する場合にも抵抗分電流波形を煩雑な調整の要なく適切に得ることができる非線形素子の抵抗分電流測定方法を提供することができる。
【００５８】
第８の発明によれば、第７の発明において、前記非線形素子に流れる電流を変流器を介して検出する第１の検出ステップと、前記コンデンサに流れる電流を変流器を介して検出する第２の検出ステップと、前記第１の検出ステップにより検出された前記非線形素子に流れる電流をデジタルデータとして保存する第１の記憶ステップと、前記第２の検出ステップにより検出された前記コンデンサに流れる電流をデジタルデータとして保存する第２の記憶ステップと、前記第２の記憶ステップにより保存されたデジタルデータから前記コンデンサに流れる基本波成分電流波形の最大値を導出し、この基本波成分電流波形の最大値における前記第１の記憶ステップにより保存された前記非線形素子に流れる電流値と前記第２の記憶ステップにより保存された前記コンデンサに流れる電流値との比率を前記第２の記憶ステップにより保存された前記コンデンサに流れる電流波形に乗じた演算処理波形を導出する第１の演算ステップと、前記第１の演算ステップにより導出された前記演算処理波形を抵抗分電流と容量分電流とを含む前記非線形素子を流通する電流波形から差し引くことにより前記非線形素子の抵抗分電流波形を得る第２の演算ステップとを含むので、非線形素子と並列接続されたコンデンサによるデジタルデータを演算処理することにより、高調波が重畳する場合にも抵抗分電流波形を煩雑な調整の要なく適切に得ることができる非線形素子の抵抗分電流測定方法を提供することができる。
【図面の簡単な説明】
【図１】この発明による実施の形態１における構成を示すブロック図である。
【図２】この発明による実施の形態１における動作を示すフローチャートである。
【図３】この発明による実施の形態１における電流波形を示す曲線図である。
【図４】この発明による実施の形態１における電流波形を示す曲線図である。
【図５】この発明による実施の形態２における構成を示すブロック図である。
【図６】この発明による実施の形態２における動作を示すフローチャートである。
【図７】この発明による実施の形態２における電流波形を示す曲線図である。
【図８】この発明による実施の形態２における電流波形を示す曲線図である。
【図９】酸化亜鉛形避雷器の電気的等価回路を示す概念図である。
【図１０】酸化亜鉛形避雷器における回路構成を示す接続図である。
【図１１】従来技術による電流波形を示す曲線図である。
【図１２】従来技術における課題を説明するための電流波形を示す曲線図である。
【符号の説明】
１　酸化亜鉛形避雷器、２　コンデンサ、３　交流電源、４，５　変流器、６Ｉｔ検出装置、７　Ｉｃｃ検出装置、８　Ｉｔ記憶装置、９　Ｉｃｃ記憶装置、１０　演算装置、１１　基本波抽出装置。
【図１】
2004020290.tif 000003
【図２】
2004020290.tif 000004
【図３】
2004020290.tif 000005
【図４】
2004020290.tif 000006
【図５】
2004020290.tif 000007
【図６】
2004020290.tif 000008
【図７】
2004020290.tif 000009
【図８】
2004020290.tif 000010
【図９】
2004020290.tif 000011
【図１０】
2004020290.tif 000012
【図１１】
2004020290.tif 000013
【図１２】
2004020290.tif 000014